(57)【特許請求の範囲】
【請求項１】
操作部から入力したモードにしたがって硬貨投入部に投入された硬貨を搬送路で搬送し、その硬貨を硬貨鑑別部で計数して入金処理する硬貨入金機において、
金種別に仕切られ上端部が開放された金種別収納部と、開閉可能な底板で底面が構成され上端部が開放された一時保留部とで一体に構成され、筐体に挿抜可能な返却庫とを備え、
該操作部で選択されたモードが、計数モードのとき鑑別された該硬貨を選別搬送路で金種別に選別して金種別収納部にそれぞれ貯留し、入金モードのとき鑑別された該硬貨を一時保留部に貯留し、さらに該操作部で収納指定を選択したとき該一時保留部の底板を開放し、該硬貨を硬貨収納カセットに収納するようにしたことを特徴とする硬貨入金機。
【請求項２】
請求項１の硬貨入金機において、
該操作部で選択されたモードが、準備金入金モードのとき該操作部で金種別金額を入力させ、該金種別金額分の硬貨を該金種別収納部にそれぞれ貯留し、それ以外の硬貨を該一時保留部に貯留するようにしたことを特徴とする硬貨入金機。
【請求項３】
請求項１または請求項２の硬貨入金機において、
前記返却庫を、該底板に固着された操作レバーで該底面を開放できるようにしたことを特徴とする硬貨入金機。
【請求項４】
請求項１、請求項２または請求項３の硬貨入金機において、
前記返却庫を、側面に設けた係止ブロックが該返却庫を支持する返却庫棚に設けた返却庫ストッパで係止されるようにしたことを特徴とする硬貨入金機。
【請求項５】
請求項１から請求項４のいずれか１項の硬貨入金機において、
該操作部で返却指定を選択したとき、該一時保留部から該硬貨を返却箱に収納するようにしたことを特徴とする硬貨入金機。
【発明の詳細な説明】
【技術分野】
【０００１】
本発明は、硬貨入金機に関し、特に、釣銭準備金である硬貨を金種毎に分けて貯留し、また、売上金である硬貨を釣銭準備金である硬貨と分類して貯留または収納する硬貨入金機に関する。
【背景技術】
【０００２】
従来の硬貨入金機は、スパーマーケットやコンビニエンスストア等の店舗に設置され、その店舗における売上金および釣銭準備金を含んだ硬貨を投入し、その売上金である指定した金額の硬貨を収納する一方、売上金以外の釣銭準備金である余剰の硬貨は硬貨投入部に残していた（例えば、特許文献１参照）。
また、投入した硬貨を金種別に分類して収納する硬貨返却庫を有する硬貨入金機（例えば、特許文献２参照）や硬貨払出口へ払い出された硬貨をその硬貨払出口の底面の開口部を開口させて、その硬貨を回収する作業を容易にしているものもある（例えば、特許文献３参照）。
【特許文献１】特開２００１−６７５２６号公報（段落「００１６」〜段落「００１８」、図２）
【特許文献２】特開２０００−２６８２２０号公報（段落「００１９」、図２）
【特許文献３】特開平１１−３２８４７８号公報（段落「００６１」〜段落「００６８」、図１）
【発明の開示】
【発明が解決しようとする課題】
【０００３】
しかしながら、上述した特許文献１記載の技術においては、売上金である操作部で指定した金額の硬貨は必ず硬貨入金機に収納されてしまい収納金庫以外の容器等に回収させることができないという問題および硬貨投入部に残された釣銭準備金は金種毎に分類されていないため操作者は金種毎に分類してレジスター等に装填する必要があり手間がかかるという問題がある。
【０００４】
また、特許文献２記載の技術においては、投入された硬貨を金種別に分類することはできても売上金と釣銭準備金に分けることはできないという問題がある。
さらに、特許文献３記載の技術においては、硬貨払出口の底面の開口部を形成する底板を上方に回動させて硬貨払出口の硬貨を回収するが、その底板上に硬貨があるため回動させ難く硬貨を落下させ難いという問題がある。
【０００５】
本発明は、このような問題を解決することを課題とする。
【課題を解決するための手段】
【０００６】
そのため、本発明は、操作部から入力したモードにしたがって硬貨投入部に投入された硬貨を搬送路で搬送し、その硬貨を硬貨鑑別部で計数して入金処理する硬貨入金機において、金種別に仕切られ上端部が開放された金種別収納部と、開閉可能な底板で底面が構成され上端部が開放された一時保留部とで一体に構成され、筐体に挿抜可能な返却庫とを備え、該操作部で選択されたモードが、計数モードのとき鑑別された該硬貨を選別搬送路で金種別に選別して金種別収納部にそれぞれ貯留し、入金モードのとき鑑別された該硬貨を一時保留部に貯留し、さらに該操作部で収納指定を選択したとき該一時保留部の底板を開放し、該硬貨を硬貨収納カセットに収納するようにしたことを特徴とする。
【発明の効果】
【０００７】
このようにした本発明は、投入された硬貨を一時保留部に貯留した売上金と金種別収納部に貯留した釣銭準備金に分けることができ、また、売上金である硬貨は硬貨入金機の硬貨収納カセットに収納するか、他の容器等に回収するため一時保留部に貯留させたままするかを操作者が事情に応じて選択することができ、さらに、釣銭準備金は金種毎に分類されて金種別収納部に貯留され店舗側に残されることになるため次回使用する釣銭準備金を改めて用意する必要がなくなり、操作者の手間を省くことができるという効果が得られる。
【０００８】
また、一時保留部の底板を水平方向に摺動させるようにしたため貯留した硬貨を落下させ易いという効果が得られる。
【発明を実施するための最良の形態】
【０００９】
以下、図面を参照して本発明による硬貨入金機の実施例を説明する。
【実施例】
【００１０】
図１は第１の実施例を示す硬貨入金機を含む貨幣処理機の斜視図である。
図１において１は硬貨入金機を含む貨幣処理機の筐体で、この筐体１の正面片側（左側）には、上から中央にかけて、操作表示部（操作部・表示部）４０、紙幣挿入部（紙幣投入部）、紙幣リジェクト部、計数紙幣返却部６が設けられ、これらと隣り合うように筐体１の正面他側（右側）には、上から中央にかけてカードリーダ４１、硬貨ホッパ部（硬貨投入部）１１、硬貨リジェクト部１５、返却庫１７が設けられている。
【００１１】
ここで、操作表示部４０はタッチパネル式の表示部と、該表示部の横に配置されたテンキー、スタートキー、確認キー、取消キー等から成るキー部により構成されており、タッチパネルは処理モード等の選択等に用いられるものとなっている。
カードリーダ４１は操作者のＩＤカードを受け入れてカード情報を読み取るためのもので、読み取られたカード情報は操作履歴等の記録に利用されるが、これについては本発明と直接関係がないので、以後の説明ではＩＤカードおよびカードリーダ４１には言及しないものとする。
【００１２】
筐体１の底部片側に紙幣収納カセットが設けられ、筐体１の底部他側に硬貨収納カセット２１が設けられている。この硬貨収納カセット２１は筐体１の正面下部に設けられた前扉４５を開くことで引き出せるようになっている。この前扉４５は電磁ロック可能な構造として所定の係員操作により電磁ロックを解除するものとする。
なお、この貨幣処理機は硬貨入金機および紙幣入金機で構成されるが、本発明と直接関係ない紙幣入金機の説明は省略する。
【００１３】
図２は第１の実施例を示す硬貨入金機の略示断面図である。
３は硬貨入金機であり、筐体１内の正面片側（右側）に設けられ、硬貨ホッパ部１１に投入された硬貨を金種毎に計数し、その硬貨をカセットに収納または返却するものである。
硬貨ホッパ部１１はトレー状に形成され、上部が開口した硬貨の投入口を有するものである。この硬貨ホッパ１１の底部に硬貨を一枚ずつ分離して筐体１内の搬送路に繰出す図示しない分離繰出し部が設けられている。
【００１４】
１４は硬貨鑑別部であり、硬貨ホッパ部１１の下流の搬送路に設けられたものである。この硬貨鑑別部１４は磁気センサおよびイメージセンサ等のセンサにより、硬貨ホッパ部１１から繰り出され通過した硬貨を１円硬貨、五円硬貨、十円硬貨、五十円硬貨、百円硬貨、五百円硬貨、汚損硬貨およびその他の硬貨であること、つまり、金種および硬貨の真偽を鑑別するものである。
【００１５】
硬貨リジェクト部１５は筐体１内に設けられた硬貨鑑別部１４により金種不明等と鑑別されたリジェクト硬貨を貯留する部位である。
１６は選別搬送部であり、硬貨鑑別部１４で鑑別された硬貨を金種ごとに通路下方に落下させるために搬送するものである。この選別搬送部１６は各金種の径に応じた複数の選別孔を有し、各孔から対応した金種の硬貨を通路下方に落下させて金種別に貯留させるように構成されている。
【００１６】
１６１は排除通路部であり、硬貨鑑別部１４の下流に設けられ、硬貨鑑別部１４により金種不明等と鑑別されたリジェクト硬貨を落下させる通路である。この排除通路部１６１から落下した硬貨は硬貨リジェクト部１５に貯留される。
１６２は一時保留通路部であり、排除通路部１６１の下流に設けられ、後述する一時保留部に硬貨を落下させる通路である。この一時保留通路部１６２から落下した硬貨は後述する一時保留部に貯留される。
【００１７】
１６３は硬貨ストッパであり、ソレノイド等の電気的駆動手段で構成され、排除通路部１６１および一時保留通路部１６２に設けたものである。この硬貨ストッパ１６３は通電して駆動することにより、搬送路で搬送される硬貨を排除通路部１６１または一時保留通路部１６２へ誘導する。なお、この硬貨ストッパ１６３を駆動しないときは搬送路で搬送される硬貨は排除通路部１６１および一時保留通路部１６２を通過して選別搬送部１６へ搬送される。
【００１８】
返却庫１７は引出し状の構造に形成され、後述する一時保留部および金種別収納部が一体となって構成されたものである。この返却庫１７は筐体１から引出しおよび押入れることができるように構成され、筐体１から引出すことにより、一時保留部および金種別収納部に貯留された硬貨を取り出すことができる。
１７１は一時保留部であり、上端および下端が開放した略直方体形状に形成されているものである。この一時保留部１７１は一時保留通路部１６２の下方に配置され一時保留通路部１６２から落下した各金種の硬貨を受入れることができるものである。
【００１９】
１７２は金種別収納部であり、１円硬貨、五円硬貨、十円硬貨、五十円硬貨、百円硬貨および五百円硬貨の金種毎に上端が開放した略直方体形状に仕切られて形成されたものである。この金種別収納部１７２は選別搬送部１６の下方に配置され、選別搬送部１６に設けられた金種毎の選別孔から落下した硬貨を金種毎に硬貨を分離して貯留する。
１８は底板であり、下端が開放した一時保留部１７１の底面を形成するものである。この底板１８は水平方向に摺動可能に構成され、摺動させることにより一時保留部１７１の底面を開口および閉口させることができる。また、この底板１８は図示しないモータ等の駆動手段により開閉可能に構成されているものである。したがって、この底板１８で一時保留部１７１の底面を閉口させると一時保留通路部１６２から落下した各金種の硬貨を貯留することができる。
【００２０】
硬貨収納カセット２１は一時保留部１７１の下方に配置され、上端が開放した略直方体形状のものである。一時保留部１７１の底面を形成する底板１８を摺動させ底面を開口させることにより一時保留部１７１内に貯留した硬貨を落下させ、この硬貨収納カセット２１にその硬貨を収納することができる。なお、この硬貨収納カセット２１は一時保留部１７１から投出される硬貨を金種混在で収納するものでよい。
【００２１】
図３は第１の実施例を示す硬貨入金機のブロック図で、３は硬貨入金機である。
硬貨処理機３には、前述した硬貨ホッパ部１１、硬貨鑑別部１４、硬貨リジェクト部１５、選別搬送部１６、返却庫１７、一時保留部１７１、硬貨収納カセット２１が設けられている。
３０は制御部で、図示しない記憶部に格納された制御プログラム（ソフトウェア）に基づいて硬貨入金機３、操作表示部４０、およびカードリーダ４１を含む貨幣処理装置全体の動作の制御を行うものとなっている。
【００２２】
上述した構成の作用について説明する。
なお、以下に説明する各部の動作は、図示しない記憶部に格納されたプログラム（ソフトウェア）に基づいて制御部３０により制御されるものとする。
まず、硬貨を計数する硬貨入金機の計数処理の動作を説明する。図４は第１の実施例を示す計数処理のフローチャートであり、そのＳで示すステップにしたがって説明する。
【００２３】
Ｓ１ａ：まず、操作者が操作表示部４０に表示されている初期画面（メニュー画面）を見て、タッチパネルにより計数処理モードを選択する。
Ｓ２ａ：操作者が計数処理モードを選択すると操作者は計数する売上金等の硬貨を硬貨ホッパ部１１に一括して投入した後、操作表示部４０のスタートキーを押下する。これにより制御部３０は硬貨入金機３に計数処理を指示する。
【００２４】
Ｓ３ａ：スタートキーの押下により、硬貨入金機３に計数処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
Ｓ４ａ：硬貨が存在する場合は分離繰出し部により硬貨が搬送路に１枚ずつ繰出され、繰出された硬貨が硬貨鑑別部１４へ搬送される。
【００２５】
Ｓ５ａ：硬貨鑑別部１４では送られてきた硬貨の金種等の鑑別が行われ、正常な硬貨か否かが判断される。
Ｓ６ａ：その結果、金種が確定した正常な硬貨は硬貨鑑別部１４で金種毎に計数された後、選別搬送部１６に送られ、この選別搬送部１６の選別孔から１円、五円、十円、五十円、百円、五百円の硬貨が金種別に金種別収納部１７２に落下して貯留される。
【００２６】
Ｓ７ａ：金種が不明な硬貨はリジェクト硬貨として、硬貨ストッパ１６３を駆動して排除通路部１６１から落下させ硬貨リジェクト部１５に貯留される。
Ｓ８ａ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ４ａからの処理が繰返される。
【００２７】
Ｓ９ａ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が金種別収納部１７２に貯留されることで搬送路および選別搬送部１６に設けられた図示しないセンサに検知されなくなるのを待つ。
【００２８】
Ｓ１０ａ：硬貨が搬送路および選別搬送部１６に存在しないことが確認されると硬貨ホッパ部１１の繰り出しの動作、搬送路および選別搬送部１６の動作が停止される。
Ｓ１１ａ：そして、計数された硬貨の金種別の枚数、金種別の金額、および合計金額が計数結果として操作表示部４０に表示される。
この表示を見て操作者は硬貨の計数結果を確認し、表示画面中の確認キーを押下すると、ＩＤカードが操作者に返却されて計数処理は終了するが、その際、図示しないプリンタにより計数結果が明細票にプリントされて操作者に放出される。
【００２９】
操作者はその明細票を受取り、また、返却庫１７を引き出して金種別収納部１７２に貯留された硬貨を取り出す。
なお、前記計数結果の表示において、硬貨の金種別の枚数および金額は、硬貨が1枚計数される度に金種毎に加算して表示するような形態を取ることも可能である。
次に、硬貨を入金する硬貨入金機の入金処理の動作を説明する。図５は第１の実施例を示す入金処理のフローチャートであり、そのＳで示すステップにしたがって説明する。
【００３０】
Ｓ１ｂ：まず、操作者が操作表示部４０に表示されている初期画面（メニュー画面）を見て、タッチパネルにより入金処理モードを選択する。
Ｓ２ｂ：操作者が入金処理モードを選択すると操作者は入金する売上金等の硬貨を硬貨ホッパ部１１に一括して投入した後、操作表示部４０のスタートキーを押下する。これにより制御部３０は硬貨入金機３に入金処理を指示する。
【００３１】
Ｓ３ｂ：スタートキーの押下により、硬貨入金機３に入金処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
Ｓ４ｂ：硬貨が存在する場合は分離繰出し部により硬貨が搬送路に１枚ずつ繰出され、繰出された硬貨が硬貨鑑別部１４へ搬送される。
【００３２】
Ｓ５ｂ：硬貨鑑別部１４では送られてきた硬貨の金種等の鑑別が行われ、正常な硬貨か否かが判断される。
Ｓ６ｂ：その結果、金種が確定した正常な硬貨は硬貨鑑別部１４で金種毎に計数された後、選別搬送部１６に送られ、硬貨ストッパ１６３を駆動して一時保留通路部１６２から落下させ一時保留部１７１に貯留される。
【００３３】
Ｓ７ｂ：金種が不明な硬貨はリジェクト硬貨として、硬貨ストッパ１６３を駆動して排除通路部１６１から落下させ硬貨リジェクト部１５に貯留される。
Ｓ８ｂ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ４ｂからの処理が繰返される。
【００３４】
Ｓ９ｂ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が一時保留部１７１に貯留されることで搬送路および選別搬送部１６に設けられた図示しないセンサに検知されなくなるのを待つ。
【００３５】
Ｓ１０ｂ：硬貨が搬送路および選別搬送部１６に存在しないことが確認されると硬貨ホッパ部１１の繰り出しの動作、搬送路および選別搬送部１６の動作が停止される。
Ｓ１１ｂ：そして、計数された硬貨の金種別の枚数、金種別の金額、および合計金額が計数結果として操作表示部４０に表示される。
Ｓ１２ｂ：この計数結果を見て操作者が表示画面中に表示されている収納あるいは取消を指定する指定キーを押下する。
【００３６】
Ｓ１３ｂ：操作者が指定キーを押下すると制御部３０は押下された指定キーが硬貨の収納か取消かを判断する。
Ｓ１４ｂ：押下された指定キーが収納の場合、底板１８を駆動手段により移動させ一時保留部１７１の底部が開放され、一時保留部１７１に貯留された硬貨が落下して硬貨収納カセット２１に収納される。
【００３７】
一方、押下された指定キーが取消の場合、何もせず硬貨を一時保留部１７１に貯留したままにしておき、貯留した硬貨を返却可能にする。
そして、ＩＤカードが操作者に返却され、計数された硬貨の金種別の枚数、金種別の金額、および合計金額が入金明細として図示しないプリンタにより明細票にプリントして操作者に放出され、入金処理は終了する。
【００３８】
操作者はその明細票を受取り、また、操作者がＳ１２ｂにおいて取消を指定する指定キーを押下した場合、返却庫１７を引き出して一時保留部１７１に貯留した硬貨を取り出すことができる。
次に、硬貨を釣銭準備金と売上金とに仕分ける硬貨入金機の準備金入金処理の動作を説明する。図６は第１の実施例を示す準備金入金処理のフローチャートであり、そのＳで示すステップにしたがって説明する。
【００３９】
Ｓ１ｃ：まず、操作者が操作表示部４０に表示されている初期画面（メニュー画面）を見て、タッチパネルにより準備金入金処理モードを選択し、売上金等の硬貨を硬貨ホッパ部１１に一括して投入する。
Ｓ２ｃ：制御部３０は表示操作部４０に金額入力の画面を表示し、操作者がこの画面に従ってテンキー等を操作して硬貨の釣銭準備金の金種毎の金額を入力する。
【００４０】
Ｓ３ｃ：金額を入力すると操作者が操作表示部４０のスタートキーを押下する。これにより制御部３０は硬貨入金機３に準備金入金処理を指示する。
Ｓ４ｃ：スタートキーを押下すると、入力された硬貨の金種毎の金額が図示しないＲＡＭ等の一時記憶部に記憶される。
Ｓ５ｃ：スタートキーの押下により、硬貨入金機３に入金処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
【００４１】
Ｓ６ｃ：硬貨が存在する場合は分離繰出し部により硬貨が搬送路に１枚ずつ繰出され、繰出された硬貨が硬貨鑑別部１４へ搬送される。
Ｓ７ｃ：硬貨鑑別部１４では送られてきた硬貨の金種等の鑑別が行われ、正常な硬貨か否かが判断される。
Ｓ８ｃ：その結果、金種が不明な硬貨はリジェクト硬貨として、硬貨ストッパ１６３を駆動して排除通路部１６１から落下させ硬貨リジェクト部１５に貯留される。
【００４２】
Ｓ９ｃ：金種が確定した正常な硬貨は硬貨鑑別部１４で金種毎に計数され、そして制御部３０は硬貨が計数される毎に、その金額を前記一時記憶部に記憶されている該当金種の金額から減算して、その値が零を超えたか否かを判断する。
Ｓ１０ｃ：超えていない場合、硬貨は釣銭準備金として選別搬送部１６に送られて、この選別搬送部１６の選別孔から１円、五円、十円、五十円、百円、五百円の硬貨が金種別に金種別収納部１７２に落下して貯留される。
【００４３】
Ｓ１１ｃ：また、減算値が零を超えた場合、硬貨は売上金として選別搬送部１６に送られ、硬貨ストッパ１６３を駆動して一時保留通路部１６２から落下させ一時保留部１７１に貯留される。
Ｓ１２ｃ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ６ｃからの処理が繰返される。
【００４４】
Ｓ１３ｃ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が一時保留部１７１に貯留されることで搬送路および選別搬送部１６に設けられた図示しないセンサに検知されなくなるのを待つ。
【００４５】
Ｓ１４ｃ：硬貨が搬送路および選別搬送部１６に存在しないことが確認されると硬貨ホッパ部１１の繰り出しの動作、搬送路および選別搬送部１６の動作が停止される。
Ｓ１５ｃ：そして、計数された硬貨の釣銭準備金および売上金のそれぞれの金種別の枚数、金種別の金額、ならびに合計金額が計数結果として操作表示部４０に表示される。
Ｓ１６ｃ：この計数結果を見て操作者が表示画面中に表示されている収納あるいは取消を指定する指定キーを押下する。
【００４６】
Ｓ１７ｃ：操作者が指定キーを押下すると制御部３０は押下された指定キーが硬貨の収納か取消かを判断する。
Ｓ１８ｃ：押下された指定キーが収納の場合、底板１８を駆動手段により移動させ一時保留部１７１の底部が開放され、売上金である一時保留部１７１に貯留された硬貨が落下して硬貨収納カセット２１に収納される。
【００４７】
一方、押下された指定キーが取消の場合、何もせず硬貨を一時保留部１７１に貯留したままにしておき、貯留した硬貨を返却可能にする。
そして、ＩＤカードが操作者に返却され、計数された硬貨の金種別の枚数、金種別の金額、および合計金額が入金明細として図示しないプリンタにより明細票にプリントして操作者に放出され、準備金入金処理は終了する。
【００４８】
操作者はその明細票を受取り、また、返却庫１７を引き出して釣銭準備金である硬貨を金種別収納部１７２から取り出すことができ、さらに、操作者がＳ１６ｃにおいて取消を指定する指定キーを押下した場合、売上金である一時保留部１７１に貯留した硬貨を取り出すことができる。
以上説明したように、第１の実施例では、投入された硬貨を一時保留部に貯留した売上金と金種別収納部に貯留した釣銭準備金に分けることができ、また、売上金である硬貨は硬貨入金機の硬貨収納カセットに収納するか、他の容器等に回収するため一時保留部に貯留させたままするかを操作者が事情に応じて選択することができ、さらに、釣銭準備金は金種毎に分類されて金種別収納部に貯留され店舗側に残されることになるため次回使用する釣銭準備金を改めて用意する必要がなくなり、操作者の手間を省くことができるという効果が得られる。
【００４９】
また、一時保留部の底板を水平方向に摺動させるようにしたため貯留した硬貨を落下させ易いという効果が得られる。
さらに、複数の金種が混在する一時保留庫を設けたことにより小型化・低価格の硬貨入金機を提供することができるという効果が得られる。
次に、本発明の第２の実施例を説明する。
【００５０】
本発明の第２の実施例は第１の実施例と返却庫１７の構成が異なるものである。なお、上述した第１の実施例と同様の部分は、同一の符号を付してその説明を省略する。
本発明の第２の実施例の返却庫１７について詳細に説明する。
図７は第２の実施例を示す底板が閉塞状態の返却庫の平面図、図８は第２の実施例を示す底板が閉塞状態の返却庫の略示断面図である。
【００５１】
図７および図８において、１８３は操作レバーであり、一時保留部１７１の底面を形成する底板１８の側部に固着された棒形状等のものである。店舗の係員等である操作者はこの操作レバー１８３を操作することにより手動で底板１８を図８の矢印Ａの示す方向へ摺動させ一時保留部１７１の底部を開放させることができ、また、底板１８を図８の矢印Ａの示す方向と逆方向へ摺動させ一時保留部１７１の底部を閉口させることができる。なお、この底板１８は図示しないモータ等の駆動手段でも開閉可能に構成されているものである。
【００５２】
１８４は操作レバー移動孔であり、操作レバー１８３により底板１８を摺動させたときその操作レバー１８３が移動することができるように返却庫１７に設けられた孔である。
１９は圧縮スプリングであり、返却庫１７と底板１８の間に設けられたバネ等の弾性体である。この圧縮スプリング１９の弾力により底板１８を一時保留部１７１の底部を形成するように付勢している。したがって、通常の状態は底板１８で一時保留部１７１の底部を形成し、硬貨を貯留することができる。
【００５３】
図９は第２の実施例を示す底板が開放状態の返却庫の平面図、図１０は第２の実施例を示す底板が開放状態の返却庫の略示断面図である。
図９および図１０において、操作者が操作レバー１８３を操作して底板１８を圧縮スプリング１９により付勢された方向と反対方向に摺動させると一時保留部１７１の底部が開放し、その一時保留部１７１に貯留された硬貨が落下して硬貨収納カセット２１に収納される。
【００５４】
上述した構成の作用について説明する。
硬貨入金機が行う計数処理、入金処理および準備金入金処理の動作は第１の実施例と同様なのでその説明を省略する。
硬貨入金機が行った入金処理および準備金入金処理で一時保留部１７１に貯留した硬貨を取り出す場合、まず操作者は返却庫１７を筐体１から取外す。その後、操作者は一時保留部１７１の底部の下方に準備した硬貨回収ボックス等を配置し、操作レバー１８３を図１０の矢印Ｂが示す方向に操作して底板１８を移動させ一時保留部１７１の底部を開放させる。一時保留部１７１の底部が開口されると一時保留部１７１に貯留された硬貨が図１０の矢印Ｃの示す方向に落下し、硬貨回収ボックス等に収納される。ここで、硬貨回収ボックス等は床面に置き、その硬貨回収ボックス等の上に取外した返却庫１７を載置させるようにしてもよい。
【００５５】
なお、筐体１の前面に硬貨回収ボックス等を係止する係止部を設け、返却庫１７を筐体１から引き出し一時保留部１７１の底部の下方に配置されるように、その係止部に硬貨回収ボックス等を固定し、操作レバー１８３を操作して底板１８を移動させ一時保留部１７１の底部を開放させて貯留した硬貨を硬貨回収ボックス等に収納するようにしてもよい。
また、返却庫１７の底部に硬貨回収ボックス等を係止する係止部を設け、返却庫１７を筐体１から引き出し一時保留部１７１の底部の下方に配置されるように、その係止部に硬貨回収ボックス等を固定し、操作レバー１８３を操作して底板１８を移動させ一時保留部１７１の底部を開放させて貯留した硬貨を硬貨回収ボックス等に収納するようにしてもよい。
【００５６】
このようにして一時保留部１７１に貯留した硬貨を予め準備した硬貨回収ボックス等に収納することができる。
以上説明したように、第２の実施例では、第１の実施例の効果に加え、操作者は操作レバー１８３を操作することにより予め準備した硬貨回収ボックス等に一時保留部１７１に貯留した硬貨を容易に収納することができ、操作性を向上させることができるという効果が得られる。
【００５７】
本発明の第３の実施例は第１および第２の実施例と返却庫１７の構成が異なるものである。なお、上述した第１および第２の実施例と同様の部分は、同一の符号を付してその説明を省略する。
本発明の第３の実施例の返却庫１７および返却庫棚２２について詳細に説明する。
図１１は第３の実施例を示す返却庫および返却庫棚の平面図、図１２は第３の実施例を示す返却庫および返却庫棚の略示断面図である。
【００５８】
図１１および図１２において、２２は返却庫棚であり、筐体１に返却庫１７を引出しおよび押入れ可能に形成され返却庫１７を支持するものである。
２２１は返却庫棚底板であり、返却庫棚２２の底面を形成するものである。返却庫１７を筐体１から引き出しまたは筐体１へ押し入れるとき、この返却庫棚底板２２１で返却庫１７の底面をガイドする。
【００５９】
２２２は返却庫棚側面であり、返却庫棚２２の両側面を形成するものである。返却庫１７を筐体１から引き出しまたは筐体１へ押し入れるとき、この返却庫棚側面２２２で返却庫１７の両側面をガイドする。
２２３は返却庫棚位置決め板であり、返却庫１７を筐体１へ押し入れ、さらに突き当てて返却庫１７の位置を決定する板状に形成されたものである。この返却庫棚位置決め板２２３により位置決めされた返却庫１７の一時保留部１７１の底部は硬貨収納カセット２１の開口部の上方に位置するようになっている。なお、この返却庫棚位置決め板２２３により位置決めされた返却庫１７は図示しないロック機構により固定されるようにしてもよい。
【００６０】
２２４は返却庫棚開口部であり、返却庫棚位置決め板２２３で決定された位置において返却庫１７の一時保留部１７１の下端の開口部と整合するように形成されたものである。この返却庫棚開口部２２４の下方には硬貨収納カセット２１が配置され、底板１８を摺動させて開口させると一時保留部１７１に貯留した硬貨を硬貨収納カセット２１へ投出させることができる。
【００６１】
２２５は返却庫ストッパであり、ふたつの返却庫棚側面２２２にそれぞれ形成され、返却庫棚２２に嵌合された返却庫１７を引出したときその返却庫１７が返却庫棚２２から落下しないように規制するものである。
上述したように返却庫棚２２は返却庫棚底板２２１、返却庫棚側面２２２、返却庫棚位置決め板２２３、返却庫棚開口部２２４および返却庫ストッパ２２５で構成されている。
【００６２】
１７３は係止ブロックであり、返却庫１７の両側面に固着されたものである。この係止ブロック１７３は、返却庫棚２２に嵌合された返却庫１７を引出したとき、返却庫ストッパ２２５と当接させ、返却庫１７が落下することを防止する。また、返却庫１７を返却庫棚２２に嵌合させ押し入れるとき返却庫ストッパ２２５と接触する係止ブロック１７３の部位にはスロープ１７４が形成されている。これにより返却庫１７を返却庫棚２２へ押し入れる操作を容易にしている。
【００６３】
上述した構成の作用について説明する。
硬貨入金機が行う計数処理、入金処理および準備金入金処理の動作は第１の実施例と同様なのでその説明を省略する。
まず、操作者が返却庫１７を返却庫棚２２に挿入する操作について図１３、図１４および図１５に基づいて説明する。図１３および図１４は第３の実施例を示す返却庫を返却庫棚に挿入するときの略示断面図、図１５は第３の実施例を示す返却庫を返却庫棚に挿入したときの略示断面図である。
【００６４】
図１３の矢印Ｄの示す方向に返却庫１７を返却庫棚２２に嵌合させ挿入する。さらに返却庫１７を挿入すると図１４の矢印Ｅの示す方向に係止ブロック１７３のスロープ１７４が返却庫ストッパ２２５に接し、返却庫１７は斜めに上がりながら移動する。さらに、図１５に示すように返却庫１７を挿入すると返却庫１７の奥部が返却庫棚位置決め板２２３に突き当たり返却庫１７の挿入が終了する。
【００６５】
このようにして、返却庫１７を返却庫棚２２に挿入する。
次に、操作者が返却庫１７を返却庫棚２２から引き出す操作について図１６に基づいて説明する。図１６は第３の実施例を示す返却庫を返却庫棚から引き出したときの略示断面図である。
操作者は図１６の矢印Ｆが示す方向に返却庫１７を筐体１の前方へ引き出す。その引き出す途中で返却庫１７の両側面に固着した係止ブロック１７３が返却庫ストッパ２２５と当接して返却庫１７は停止する。
【００６６】
この状態で操作者は、一時保留部１７１の底面の下方に準備した硬貨回収ボックス等を配置し、操作レバー１８３を操作して底板１８を移動させ一時保留部１７１の底部を開口させる。一時保留部１７１の底部が開口されると一時保留部１７１に貯留された硬貨が落下し、硬貨回収ボックス等に収納される。
また、返却庫１７を前上方へ上げて引き出すことにより返却庫棚２２から取外すことができる。このように返却庫１７を返却庫棚２２から取外し、床面に置いた硬貨回収ボックス等の開口部の上方が一時保留部１７１の底部になるように返却庫１７を配置し、操作レバー１８３を操作して底板１８を移動させ一時保留部１７１の底部を開口させて一時保留部１７１に貯留された硬貨を硬貨回収ボックス等に収納させるようにしてもよい。
【００６７】
さらに、返却庫１７を返却庫棚２２から取外して金種別収納部１７２に貯留された硬貨を取り出すこともできる。
以上説明したように、第３の実施例では、第１および第２の実施例の効果に加え、操作者は返却庫１７を筐体１から取外すことなく一時保留部１７１に貯留された硬貨を容易に硬貨回収ボックス等に収納することができ、操作性を向上させることができるという効果が得られる。
【００６８】
次に、本発明の第４の実施例を説明する。
本発明の第４の実施例を示す硬貨入金機の構成は第１の実施例の硬貨入金機に返却箱を備えたことが異なるものである。なお、上述した第１の実施例と同様の部分は、同一の符号を付してその説明を省略する。
図１７は第４の実施例を示す硬貨入金機を含む貨幣処理機の斜視図である。
【００６９】
２０は返却箱であり、引出し状の構造に形成され、筐体１から引出しおよび押入れることができるように構成されたものである。この返却箱２０の上端は開放され一時保留部１７１から落下した硬貨を貯留することができるものである。また、この返却箱２０を筐体１から引出すことにより、貯留された硬貨を取り出すことができる。
図１８は第４の実施例を示す硬貨入金機のブロック図で、３は硬貨入金機である。
【００７０】
硬貨処理機３には、前述した硬貨ホッパ部１１、硬貨鑑別部１４、硬貨リジェクト部１５、選別搬送部１６、返却庫１７、一時保留部１７１、返却箱２０、硬貨収納カセット２１が設けられている。
３０は制御部で、図示しない記憶部に格納された制御プログラム（ソフトウェア）に基づいて硬貨入金機３、操作表示部４０、およびカードリーダ４１を含む貨幣処理装置全体の動作の制御を行うものとなっている。
【００７１】
なお、制御部３０の制御により一時保留部１７１に貯留した硬貨を返却箱２０または硬貨収納カセット２１へ収納することができる。
上述した構成の作用について説明する。
なお、以下に説明する各部の動作は、図示しない記憶部に格納されたプログラム（ソフトウェア）に基づいて制御部３０により制御されるものとする。
【００７２】
まず、硬貨を計数する硬貨入金機の計数処理の動作を説明する。図１９は第４の実施例を示す計数処理のフローチャートであり、そのＳで示すステップにしたがって説明する。
Ｓ１ｄ：まず、操作者が操作表示部４０に表示されている初期画面（メニュー画面）を見て、タッチパネルにより計数処理モードを選択する。
Ｓ２ｄ：操作者が計数処理モードを選択すると操作者は計数する売上金等の硬貨を硬貨ホッパ部１１に一括して投入した後、操作表示部４０のスタートキーを押下する。これにより制御部３０は硬貨入金機３に計数処理を指示する。
【００７３】
Ｓ３ｄ：スタートキーの押下により、硬貨入金機３に計数処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
Ｓ４ｄ：硬貨が存在する場合は分離繰出し部により硬貨が搬送路に１枚ずつ繰出され、繰出された硬貨が硬貨鑑別部１４へ搬送される。
【００７４】
Ｓ５ｄ：硬貨鑑別部１４では送られてきた硬貨の金種等の鑑別が行われ、正常な硬貨か否かが判断される。
Ｓ６ｄ：その結果、金種が確定した正常な硬貨は図２０に示すように硬貨鑑別部１４で金種毎に計数された後、選別搬送部１６に送られ、この選別搬送部１６の選別孔から１円、五円、十円、五十円、百円、五百円の硬貨が金種別に返却庫１７の金種別収納部１７２に落下して貯留される。
【００７５】
Ｓ７ｄ：金種が不明な硬貨はリジェクト硬貨として、硬貨ストッパ１６３を駆動して排除通路部１６１から落下させ硬貨リジェクト部１５に貯留される。
Ｓ８ｄ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ４ｄからの処理が繰返される。
【００７６】
Ｓ９ｄ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が金種別収納部１７２に貯留されることで搬送路および選別搬送部１６に設けられた図示しないセンサに検知されなくなるのを待つ。
【００７７】
Ｓ１０ｄ：硬貨が搬送路および選別搬送部１６に存在しないことが確認されると硬貨ホッパ部１１の繰り出しの動作、搬送路および選別搬送部１６の動作が停止される。
Ｓ１１ｄ：そして、計数された硬貨の金種別の枚数、金種別の金額、および合計金額が計数結果として操作表示部４０に表示される。
この表示を見て操作者は硬貨の計数結果を確認し、表示画面中の確認キーを押下すると、ＩＤカードが操作者に返却されて計数処理は終了するが、その際、図示しないプリンタにより計数結果が明細票にプリントされて操作者に放出される。
【００７８】
操作者はその明細票を受取り、また、返却庫１７を引き出して金種別収納部１７２に貯留された硬貨を取り出す。
なお、前記計数結果の表示において、硬貨の金種別の枚数および金額は、硬貨が1枚計数される度に金種毎に加算して表示するような形態を取ることも可能である。
次に、硬貨を入金する硬貨入金機の入金処理の動作を説明する。図２１は第４の実施例を示す入金処理のフローチャートであり、そのＳで示すステップにしたがって説明する。
【００７９】
Ｓ１ｅ：まず、操作者が操作表示部４０に表示されている初期画面（メニュー画面）を見て、タッチパネルにより入金処理モードを選択する。
Ｓ２ｅ：操作者が入金処理モードを選択すると操作者は入金する売上金等の硬貨を硬貨ホッパ部１１に一括して投入した後、操作表示部４０のスタートキーを押下する。これにより制御部３０は硬貨入金機３に入金処理を指示する。
【００８０】
Ｓ３ｅ：スタートキーの押下により、硬貨入金機３に入金処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
Ｓ４ｅ：硬貨が存在する場合は分離繰出し部により硬貨が搬送路に１枚ずつ繰出され、繰出された硬貨が硬貨鑑別部１４へ搬送される。
【００８１】
Ｓ５ｅ：硬貨鑑別部１４では送られてきた硬貨の金種等の鑑別が行われ、正常な硬貨か否かが判断される。
Ｓ６ｅ：その結果、金種が確定した正常な硬貨は図２２に示すように硬貨鑑別部１４で金種毎に計数された後、選別搬送部１６に送られ、硬貨ストッパ１６３を駆動して一時保留通路部１６２から落下させ一時保留部１７１に貯留される。
【００８２】
Ｓ７ｅ：金種が不明な硬貨はリジェクト硬貨として、硬貨ストッパ１６３を駆動して排除通路部１６１から落下させ硬貨リジェクト部１５に貯留される。
Ｓ８ｅ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ４ｅからの処理が繰返される。
【００８３】
Ｓ９ｅ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が一時保留部１７１に貯留されることで搬送路および選別搬送部１６に設けられた図示しないセンサに検知されなくなるのを待つ。
【００８４】
Ｓ１０ｅ：硬貨が搬送路および選別搬送部１６に存在しないことが確認されると硬貨ホッパ部１１の繰り出しの動作、搬送路および選別搬送部１６の動作が停止される。
Ｓ１１ｅ：そして、計数された硬貨の金種別の枚数、金種別の金額、および合計金額が計数結果として操作表示部４０に表示される。
Ｓ１２ｅ：この計数結果を見て操作者が表示画面中に表示されている収納あるいは取消を指定する指定キーを押下する。
【００８５】
Ｓ１３ｅ：操作者が指定キーを押下すると制御部３０は押下された指定キーが硬貨の収納か取消かを判断する。
Ｓ１４ｅ：押下された指定キーが収納の場合、図２２に示すように売上金である一時保留部１７１に貯留された硬貨を硬貨収納カセット２１に収納する。
Ｓ１５ｅ：一方、押下された指定キーが取消の場合、図２２に示すように一時保留部１７１に貯留した硬貨を返却箱２０へ投出する。
【００８６】
そして、ＩＤカードが操作者に返却され、計数された硬貨の金種別の枚数、金種別の金額、および合計金額が入金明細として図示しないプリンタにより明細票にプリントして操作者に放出され、入金処理は終了する。
操作者はその明細票を受取り、また、操作者がＳ１２ｅにおいて取消を指定する指定キーを押下した場合、返却箱２０を筐体１から引き出してその返却箱２０に貯留した硬貨を取り出すことができる。
【００８７】
次に、硬貨を釣銭準備金と売上金とに仕分ける硬貨入金機の準備金入金処理の動作を説明する。図２３は第４の実施例を示す準備金入金処理のフローチャートであり、そのＳで示すステップにしたがって説明する。
Ｓ１ｆ：まず、操作者が操作表示部４０に表示されている初期画面（メニュー画面）を見て、タッチパネルにより準備金入金処理モードを選択し、売上金等の硬貨を硬貨ホッパ部１１に一括して投入する。
【００８８】
Ｓ２ｆ：制御部３０は表示操作部４０に金額入力の画面を表示し、操作者がこの画面に従ってテンキー等を操作して硬貨の釣銭準備金の金種毎の金額を入力する。
Ｓ３ｆ：金額を入力すると操作者が操作表示部４０のスタートキーを押下する。これにより制御部３０は硬貨入金機３に準備金入金処理を指示する。
Ｓ４ｆ：スタートキーを押下すると、入力された硬貨の金種毎の金額が図示しないＲＡＭ等の一時記憶部に記憶される。
【００８９】
Ｓ５ｆ：スタートキーの押下により、硬貨入金機３に入金処理が指示されると、硬貨ホッパ１１に設けられた図示しないセンサの検知出力に基づいて制御部３０により硬貨ホッパ１１に硬貨が存在するか否かが判断される。その判断の結果、硬貨が存在しない場合は硬貨が投入されるまで待つ。
Ｓ６ｆ：硬貨が存在する場合は分離繰出し部により硬貨が搬送路に１枚ずつ繰出され、繰出された硬貨が硬貨鑑別部１４へ搬送される。
【００９０】
Ｓ７ｆ：硬貨鑑別部１４では送られてきた硬貨の金種等の鑑別が行われ、正常な硬貨か否かが判断される。
Ｓ８ｆ：その結果、金種が不明な硬貨はリジェクト硬貨として、硬貨ストッパ１６３を駆動して排除通路部１６１から落下させ硬貨リジェクト部１５に貯留される。
Ｓ９ｆ：金種が確定した正常な硬貨は硬貨鑑別部１４で金種毎に計数され、そして制御部３０は硬貨が計数される毎に、その金額を前記一時記憶部に記憶されている該当金種の金額から減算して、その値が零を超えたか否かを判断する。
【００９１】
Ｓ１０ｆ：超えていない場合、硬貨は図２２に示すように釣銭準備金として選別搬送部１６に送られて、この選別搬送部１６の選別孔から１円、五円、十円、五十円、百円、五百円の硬貨が金種別に返却庫１７の金種別収納部１７２に落下して貯留される。
Ｓ１１ｆ：また、減算値が零を超えた場合、硬貨は図２２に示すように売上金として選別搬送部１６に送られ、硬貨ストッパ１６３を駆動して一時保留通路部１６２から落下させ一時保留部１７１に貯留される。
【００９２】
Ｓ１２ｆ：そして、硬貨ホッパ１１に設けられた図示しないセンサの検知出力に基づいて制御部３０により硬貨ホッパ１１に硬貨が存在するか否かが判断され、硬貨が存在する場合は前記Ｓ６ｆからの処理が繰返される。
Ｓ１３ｆ：また、硬貨が存在しないと判断された場合、搬送路および選別搬送部１６に設けられた図示しないセンサの検知出力に基づいて制御部３０により搬送路および選別搬送部１６に硬貨が存在するか否かが判断され、硬貨が存在する場合、その硬貨が一時保留部１７１に貯留されることで搬送路および選別搬送部１６に設けられた図示しないセンサに検知されなくなるのを待つ。
【００９３】
Ｓ１４ｆ：硬貨が搬送路および選別搬送部１６に存在しないことが確認されると硬貨ホッパ部１１の繰り出しの動作、搬送路および選別搬送部１６の動作が停止される。
Ｓ１５ｆ：そして、計数された硬貨の釣銭準備金および売上金のそれぞれの金種別の枚数、金種別の金額、ならびに合計金額が計数結果として操作表示部４０に表示される。
Ｓ１６ｆ：この計数結果を見て操作者が表示画面中に表示されている収納あるいは取消を指定する指定キーを押下する。
【００９４】
Ｓ１７ｆ：操作者が指定キーを押下すると制御部３０は押下された指定キーが硬貨の収納か取消かを判断する。
Ｓ１８ｆ：押下された指定キーが収納の場合、図２２に示すように売上金である一時保留部１７１に貯留された硬貨を硬貨収納カセット２１に収納する。
Ｓ１９ｆ：一方、押下された指定キーが取消の場合、図２２に示すように一時保留部１７１に貯留した硬貨を返却箱２０へ投出する。
【００９５】
そして、ＩＤカードが操作者に返却され、計数された硬貨の金種別の枚数、金種別の金額、および合計金額が入金明細として図示しないプリンタにより明細票にプリントして操作者に放出され、準備金入金処理は終了する。
操作者はその明細票を受取り、また、返却庫１７を引き出して釣銭準備金である硬貨を金種別収納部１７２から取り出すことができ、さらに、操作者がＳ１６ｆにおいて取消を指定する指定キーを押下した場合、返却箱２０を筐体１から引き出してその返却箱２０に貯留した売上金である硬貨を取り出すことができる。
【００９６】
以上説明したように、第４の実施例では、第１の実施例の効果に加え、操作者は返却箱２０を筐体１から取外して返却された硬貨を容易に取り出すことができ、操作性を向上させることができるという効果が得られる。
【図面の簡単な説明】
【００９７】
【図１】第１の実施例を示す硬貨入金機を含む貨幣処理機の斜視図
【図２】第１の実施例を示す硬貨入金機の略示断面図
【図３】第１の実施例を示す硬貨入金機のブロック図
【図４】第１の実施例を示す計数処理のフローチャート
【図５】第１の実施例を示す入金処理のフローチャート
【図６】第１の実施例を示す準備金入金処理のフローチャート
【図７】第２の実施例を示す底板が閉塞状態の返却庫の平面図
【図８】第２の実施例を示す底板が閉塞状態の返却庫の略示断面図
【図９】第２の実施例を示す底板が開放状態の返却庫の平面図
【図１０】第２の実施例を示す底板が開放状態の返却庫の略示断面図
【図１１】第３の実施例を示す返却庫および返却庫棚の平面図
【図１２】第３の実施例を示す返却庫および返却庫棚の略示断面図
【図１３】第３の実施例を示す返却庫を返却庫棚に挿入するときの略示断面図
【図１４】第３の実施例を示す返却庫を返却庫棚に挿入するときの略示断面図
【図１５】第３の実施例を示す返却庫を返却庫棚に挿入したときの略示断面図
【図１６】第３の実施例を示す返却庫を返却庫棚から引き出したときの略示断面図
【図１７】第４の実施例を示す硬貨入金機の斜視図
【図１８】第４の実施例を示す硬貨入金機のブロック図
【図１９】第４の実施例を示す計数処理のフローチャート
【図２０】第４の実施例を示す計数処理の説明図
【図２１】第４の実施例を示す入金処理のフローチャート
【図２２】第４の実施例を示す入金処理および釣銭準備金処理の説明図
【図２３】第４の実施例を示す釣銭準備金処理のフローチャート
【符号の説明】
【００９８】
１    筐体
３    硬貨入金機
１１  硬貨ホッパ部
１４  硬貨鑑別部
１５  硬貨リジェクト部
１６  選別搬送部
１６１  排除通路部
１６２  一時保留通路部
１６３  硬貨ストッパ
１７  返却庫
１７１  一時保留部
１７２  金種別収納部
１７３  係止ブロック
１７４  スロープ
１８  底板
１８３  操作レバー
１８４  操作レバー移動孔
１９  圧縮スプリング
２０  返却箱
２１  硬貨収納カセット
２２  返却庫棚
２２１  返却庫棚底板
２２２  返却庫棚側面
２２３  返却庫棚位置決め板
２２４  返却庫棚開口部
２２５  返却庫ストッパ
３０  制御部
４０  操作表示部
４１  カードリーダ
４５  前扉
【図１】
0004670505.tif 000002
【図２】
0004670505.tif 000003
【図３】
0004670505.tif 000004
【図４】
0004670505.tif 000005
【図５】
0004670505.tif 000006
【図６】
0004670505.tif 000007
【図７】
0004670505.tif 000008
【図８】
0004670505.tif 000009
【図９】
0004670505.tif 000010
【図１０】
0004670505.tif 000011
【図１１】
0004670505.tif 000012
【図１２】
0004670505.tif 000013
【図１３】
0004670505.tif 000014
【図１４】
0004670505.tif 000015
【図１５】
0004670505.tif 000016
【図１６】
0004670505.tif 000017
【図１７】
0004670505.tif 000018
【図１８】
0004670505.tif 000019
【図１９】
0004670505.tif 000020
【図２０】
0004670505.tif 000021
【図２１】
0004670505.tif 000022
【図２２】
0004670505.tif 000023
【図２３】
0004670505.tif 000024